【手続補正書】
【提出日】平成16年6月9日(2004.6.9)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】
原稿に記載された画像を読み取る読み取り手段と、
該読み取られた画像に基づいて、白紙の用紙に画像を形成する画像形成手段と、
該画像形成手段によって画像形成された用紙中に、該画像形成手段による画像形成をバイパスして挿入されるインサート用紙を複数枚積載する積載手段と、
該積載されたインサート用紙を読み出して、前記画像形成された用紙に挿入する挿入手段と、
該挿入手段によるインサート用紙の、前記画像形成された用紙中の挿入場所を指定する指定手段と、
該指定手段によりインサート用紙の複数の挿入場所が指定されたときに、最初に挿入されるべきインサート用紙を検知する検知手段と、
前記挿入手段により読み出されるインサート用紙が、前記検知手段により、最初に挿入されるべきインサート用紙でないことが検知されたときには、最初に挿入されるべきインサート用紙が検知されるまで、前記積載手段からインサート用紙を排出する排出手段と、
を有することを特徴とする画像形成装置。
【請求項２】
前記積載手段は、前記複数枚のインサート用紙を分割して積載する複数段のトレイからなり、該複数段のトレイの各トレイに対して同種類のインサート用紙を積載する第１の積載態様と、該複数段のトレイの各トレイに対して複数種類のインサート用紙を挿入順に積載する第２の積載態様の２種類の積載態様からいずれかの積載態様を選択できる選択手段
を有し、
前記排出手段は、前記選択手段により第２の積載態様が選択されているときに、前記排出処理を行う
ことを特徴とする請求項１に記載の画像形成装置。
【請求項３】
前記画像形成手段によって画像形成される用紙と、前記挿入手段によって挿入されるインサート用紙とを混積載し、該混積載された用紙を後処理する後処理手段
を有することを特徴とする請求項１または２のいずれかに記載の画像形成装置。
【請求項４】
前記検知手段は、インサート用紙の搬送パス上に設けられていることを特徴とする請求項１〜３のいずれかに記載の画像形成装置。
【請求項５】
前記排出手段は、前記インサート用紙を前記後処理手段以外の排出場所に排出することを特徴とする請求項３または４のいずれかに記載の画像形成装置。
【請求項６】
原稿に記載された画像を読み取る読み取り手段と、
該読み取られた画像に基づいて、白紙の用紙に画像を形成する画像形成手段と、
該画像形成手段によって画像形成された用紙中に、該画像形成手段による画像形成をバイパスして挿入されるインサート用紙を複数枚積載する積載手段と、
該積載されたインサート用紙を読み出して、前記画像形成された用紙に挿入する挿入手段と、
該挿入手段によるインサート用紙の、前記画像形成された用紙中の挿入場所を指定する指定手段と、
該指定手段によりインサート用紙の複数の挿入場所が指定されたときに、最初に挿入されるべきインサート用紙を検知する検知手段と、
前記挿入手段によるインサート用紙の挿入中、該インサート用紙が紙詰まりを起こしたときに、その挿入動作を中断させる中断手段と、
該中断手段による中断中に、当該インサート用紙が除去され、その中断から復帰したときに、前記挿入手段により読み出されるインサート用紙が、前記検知手段により、最初に挿入されるべきインサート用紙でないことが検知された場合には、最初に挿入されるべきインサート用紙が検知されるまで、前記積載手段からインサート用紙を排出し、さらに、該検知された最初に挿入されるべきインサート用紙から、前記紙詰まりを起こしたインサート用紙と同じ種類の用紙の直前の用紙まで、前記積載手段からインサート用紙を排出する排出手段と
を有することを特徴とする画像形成装置。
【請求項７】
前記積載手段は、前記複数枚のインサート用紙を分割して積載する複数段のトレイからなり、該複数段のトレイの各トレイに対して同種類のインサート用紙を積載する第１の積載態様と、該複数段のトレイの各トレイに対して複数種類のインサート用紙を挿入順に積載する第２の積載態様の２種類の積載態様からいずれかの積載態様を選択できる選択手段
を有し、
前記排出手段は、前記選択手段により第２の積載態様が選択されているときに、前記排出処理を行う
ことを特徴とする請求項６に記載の画像形成装置。
【請求項８】
前記画像形成手段によって画像形成される用紙と、前記挿入手段によって挿入されるインサート用紙とを混積載し、該混積載された用紙を後処理する後処理手段
を有することを特徴とする請求項６または７のいずれかに記載の画像形成装置。
【請求項９】
前記検知手段は、インサート用紙の搬送パス上に設けられていることを特徴とする請求項６〜８のいずれかに記載の画像形成装置。
【請求項１０】
前記排出手段は、前記インサート用紙を前記後処理手段以外の排出場所に排出することを特徴とする請求項８または９のいずれかに記載の画像形成装置。
【請求項１１】
原稿に記載された画像を読み取る読み取り手段と、
該読み取られた画像に基づいて、白紙の用紙に画像を形成する画像形成手段と、
該画像形成手段によって画像形成された用紙中に、該画像形成手段による画像形成をバイパスして挿入されるインサート用紙を複数枚積載する積載手段と、
該積載されたインサート用紙を読み出して、前記画像形成された用紙に挿入する挿入手段と、
前記画像形成手段によって画像形成された用紙と、該画像形成された用紙に前記挿入手段により挿入されるインサート用紙とを混積載するための混積載手段と、
該混積載手段に、前記インサート用紙が排出されたことを検知するインサート用紙排出検知手段と、
該インサート用紙排出検知手段により、前記インサート用紙の排出が検知されたときに、前記画像形成手段への前記白紙の用紙の給紙を開始するように制御する給紙制御手段と
を有することを特徴とする画像形成装置。
【請求項１２】
原稿に記載された画像を読み取る読み取り手段と、
該読み取られた画像に基づいて、白紙の用紙に画像を形成する画像形成手段と、
該画像形成手段によって画像形成された用紙中に、該画像形成手段による画像形成をバイパスして挿入されるインサート用紙を複数枚積載する積載手段と、
該積載されたインサート用紙を読み出して、前記画像形成された用紙に挿入する挿入手段と、
前記画像形成手段によって画像形成された用紙と、該画像形成された用紙に前記挿入手段により挿入されるインサート用紙とを混積載するための混積載手段と、
該混積載手段に、前記画像形成された用紙が排出されたことを検知する画像形成用紙排出検知手段と、
該画像形成用紙排出検知手段により、前記画像形成された用紙の排出が検知されたときに、前記挿入手段による前記インサート用紙の読み出しを開始するように制御する読み出し制御手段と
を有することを特徴とする画像形成装置。
【請求項１３】
原稿に記載された画像を読み取る読み取り手段と、
該読み取られた画像に基づいて、白紙の用紙に画像を形成する画像形成手段と、
該画像形成手段によって画像形成された用紙中に、該画像形成手段による画像形成をバイパスして挿入されるインサート用紙を複数枚積載する積載手段と、
該積載されたインサート用紙を読み出して、前記画像形成された用紙に挿入する挿入手段と、
前記画像形成手段によって画像形成された用紙と、該画像形成された用紙に前記挿入手段により挿入されるインサート用紙とを混積載するための混積載手段と、
該混積載手段に、前記インサート用紙が排出されたことを検知するインサート用紙排出検知手段と、
該インサート用紙排出検知手段により、前記インサート用紙の排出が検知されたときに、前記画像形成手段への前記白紙の用紙の給紙を開始するように制御する給紙制御手段と、
前記混積載手段に、前記画像形成された用紙が排出されたことを検知する画像形成用紙排出検知手段と、
該画像形成用紙排出検知手段により、前記画像形成された用紙の排出が検知されたときに、前記挿入手段による前記インサート用紙の読み出しを開始するように制御する読み出し制御手段と
を有することを特徴とする画像形成装置。
【手続補正３】
【補正対象書類名】明細書
【補正対象項目名】０００１
【補正方法】変更
【補正の内容】
【０００１】
【発明の属する技術分野】
本発明は、画像形成手段を備え、該画像形成手段により画像形成された出力紙の間に挿入したいインサート用紙を、インサートトレイから当該画像形成手段をバイパスして搬送するインサート機能を有する画像形成装置に関する。
【手続補正４】
【補正対象書類名】明細書
【補正対象項目名】０００５
【補正方法】変更
【補正の内容】
【０００５】
本発明は、この点に着目してなされたものであり、リカバリ時に目的のページのインサート用紙を搬送することができるとともに、そのリカバリ処理を簡単化させることが可能となる画像形成装置を提供することを目的とする。
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】削除
【補正の内容】
【手続補正２４】
【補正対象書類名】明細書
【補正対象項目名】００３８
【補正方法】削除
【補正の内容】
【手続補正２５】
【補正対象書類名】明細書
【補正対象項目名】００３９
【補正方法】削除
【補正の内容】
【手続補正２６】
【補正対象書類名】明細書
【補正対象項目名】００４０
【補正方法】削除
【補正の内容】
【手続補正２７】
【補正対象書類名】明細書
【補正対象項目名】００４１
【補正方法】削除
【補正の内容】
【手続補正２８】
【補正対象書類名】明細書
【補正対象項目名】００４２
【補正方法】削除
【補正の内容】
【手続補正２９】
【補正対象書類名】明細書
【補正対象項目名】００４３
【補正方法】削除
【補正の内容】
【手続補正３０】
【補正対象書類名】明細書
【補正対象項目名】００４４
【補正方法】削除
【補正の内容】
【手続補正３１】
【補正対象書類名】明細書
【補正対象項目名】０１６３
【補正方法】変更
【補正の内容】
【０１６３】
【発明の効果】
以上説明したように、請求項１に記載の発明によれば、挿入手段により読み出されるインサート用紙が、検知手段により、最初に挿入されるべきインサート用紙でないことが検知されたときには、最初に挿入されるべきインサート用紙が検知されるまで、積載手段からインサート用紙を排出されるので、インサート用紙の挿入順序がずれた場合でも、その順序を正確にリカバリすることができる。
【手続補正３２】
【補正対象書類名】明細書
【補正対象項目名】０１６４
【補正方法】変更
【補正の内容】
【０１６４】
請求項６に記載の発明によれば、中断手段による中断中に、当該インサート用紙が除去され、その中断から復帰したときに、挿入手段により読み出されるインサート用紙が、検知手段により、最初に挿入されるべきインサート用紙でないことが検知された場合には、最初に挿入されるべきインサート用紙が検知されるまで、積載手段からインサート用紙が排出され、さらに、該検知された最初に挿入されるべきインサート用紙から、前記紙詰まりを起こしたインサート用紙と同じ種類の用紙の直前の用紙まで、前記積載手段からインサート用紙が排出されるので、紙詰まりから復帰して、インサート用紙の挿入順序がずれた場合でも、その順序を正確にリカバリすることができる。
【手続補正３３】
【補正対象書類名】明細書
【補正対象項目名】０１６５
【補正方法】変更
【補正の内容】
【０１６５】
請求項１１に記載の発明によれば、画像形成手段によって画像形成された用紙と、該画像形成された用紙に挿入手段により挿入されるインサート用紙とを混積載するための混積載手段に、前記インサート用紙が排出されたことが、インサート用紙排出検知手段により検知されたときに、前記画像形成手段への白紙の用紙の給紙が開始されるので、インサート用紙が紙詰まりを起こした場合にも、その後のリカバリを迅速に行うことができる。
【手続補正３４】
【補正対象書類名】明細書
【補正対象項目名】０１６６
【補正方法】変更
【補正の内容】
【０１６６】
請求項１２に記載の発明によれば、画像形成手段によって画像形成された用紙と、該画像形成された用紙に挿入手段により挿入されるインサート用紙とを混積載するための混積載手段に、前記画像形成された用紙が排出されたことを、画像形成用紙排出検知手段により検知されたときに、前記挿入手段による前記インサート用紙の読み出しが開始されるので、前記画像形成手段へ給紙される白紙の用紙が紙詰まりを起こした場合にも、その後のリカバリを迅速に行うことができる。